Podtech/llm-jp-corpus-v4-ja_patent huggingface dataset:
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
電子装置のプレゼンテーション面が双方向通信システムにおいて使用されることを可能にするアセンブリであって、前記アセンブリは、
前記電子装置の前記プレゼンテーション面に近接するか、または接触する機器を感知するように構成されているセンサシステムであって、前記センサシステムは、前記プレゼンテーション面に対する前記機器の位置を計算して、前記プレゼンテーション面との相互作用を識別する、センサシステムと、
前記電子装置の前記プレゼンテーション面から放出されるエネルギーによって引き起こされる、前記センサシステム上の放射干渉を低減し、前記センサシステムが前記機器を検出する少なくとも１つの開口部を規定することによって前記センサシステムの視界を制限するシールドシステムと、
前記電子装置の前記プレゼンテーション面の温度を外部から低減する換気システムと
を備え、前記アセンブリは、前記電子装置のフレームの下端に配置可能である、アセンブリ。
【請求項２】
前記シールドシステムの前記少なくとも１つの開口部は、１つの平面を規定する１つ以上のスリットを備え、前記平面内で、前記機器は前記センサシステムによって検出可能である、請求項１に記載のアセンブリ。
【請求項３】
電子装置の表示面が双方向通信システムにおいて使用されることを可能にするポータブルアセンブリであって、前記ポータブルアセンブリは、
前記電子装置の前記表示面上または前記表示面近くの機器を検出する赤外線検出器を備えたセンサシステムであって、前記センサシステムは、前記表示面に対する前記機器の位置を計算するように構成されている、センサシステムと、
前記電子装置の前記表示面から放出されるエネルギーによって引き起こされる、前記センサシステム上の放射干渉を低減するために、前記センサシステムの検出のフィールドを制限するシールドシステムであって、前記シールドシステムは、少なくとも１つの開口部を規定し、前記開口部を介して前記センサシステムが前記機器を検出する、シールドシステムと、
埃が、前記センサシステムの検出のフィールドへ下方に落下することを防ぐために、前記ポータブルアセンブリから上方に空気を吹きつける換気システムと
前記ポータブルアセンブリを前記電子装置上または前記電子装置の近くに、取り外し可能に固定する締結装置と
を備えている、ポータブルアセンブリ。
【請求項４】
前記シールドシステムの前記少なくとも１つの開口部は、１つ以上のスリットを備え、前記１つ以上のスリットを介して前記赤外線センサシステムは前記機器を検出し、前記赤外線センサシステムは、前記機器が、前記１つ以上のスリットを介して前記赤外線センサシステムに視認可能である場合にのみ、前記機器を検出する、請求項３に記載のポータブルアセンブリ。
【請求項５】
前記シールドシステムの前記１つ以上のスリットは、前記センサシステムの少なくとも１つの平坦な検出のフィールドを規定する、請求項４に記載のポータブルアセンブリ。
【請求項６】
前記シールドシステムの前記１つ以上のスリットは、所定の幅を有し、前記センサシステムから所定の距離に配置される、請求項４に記載のポータブルアセンブリ。
【請求項７】
前記シールドシステムの前記少なくとも１つの開口部は、前記センサシステムの前記少なくとも１つの平坦な検出のフィールドを規定するために、所定の幅を有し、前記センサシステムから所定の距離に配置される少なくとも２つのスリットである、請求項３に記載のポータブルアセンブリ。
【請求項８】
前記センサシステム、前記シールドシステム、および前記換気システムは、すべて、１つ以上のスタイラスを保持するように構成されているトレイ装置に組み込まれる、請求項３に記載のポータブルアセンブリ。
【請求項９】
電子装置の表示面が双方向通信システムにおいて使用されることを可能にするポータブルアセンブリであって、前記ポータブルアセンブリは、
前記電子装置の前記表示面上または前記表示面近くの機器を検出する超音波検出器を備えているセンサシステムであって、前記センサシステムは、前記表示面に対する前記機器の位置を計算するように構成されている、センサシステムと、
前記電子装置から放出される熱波を低減するために、前記表示面上に上方に空気を流すことによって、前記電子装置の前記表示面を外部から冷却することにより、前記センサシステムの前記超音波検出器との前記熱波の干渉を低減する換気システムであって、前記換気システムは、粒子状物質が、前記センサシステムの検出のフィールドへ下方に落下することを防ぐために、前記ポータブルアセンブリから離れるように空気を吹きつける、換気システムと
前記ポータブルアセンブリを前記電子装置上または前記電子装置の近くに、取り外し可能に固定する締結装置と
を備えている、ポータブルアセンブリ。
【請求項１０】
前記センサシステムの検出のフィールドを制限するシールドシステムをさらに備え、前記機器は前記制限された検出のフィールド内に位置するときにのみ検出可能である、請求項９に記載のポータブルアセンブリ。
【請求項１１】
前記センサシステム、前記シールドシステム、および前記換気システムは、すべて、１つ以上のスタイラスを保持するように構成されているトレイ装置に組み込まれる、請求項１０に記載のポータブルアセンブリ。
【請求項１２】
前記アセンブリは、前記電子装置の下端の中心に配置される、請求項３に記載のポータブルアセンブリ。
【請求項１３】
前記センサシステムは、少なくとも１つの赤外線センサを含む、請求項１に記載のアセンブリ。
【請求項１４】
前記ポータブルアセンブリは、前記電子装置の下端の近位で中心に配置可能である、請求項３に記載のポータブルアセンブリ。
【請求項１５】
前記センサシステムは、複数のスタイラスを保持するように構成されているトレイ装置に組み込まれる、請求項３に記載のポータブルアセンブリ。
【請求項１６】
前記換気システムは、前記表示面を外部から冷却するために、前記電子装置の前記表示面から上方に、かつ前記表示面の上に空気の流れを提供するようにさらに構成されている、請求項３に記載のポータブルアセンブリ。
【請求項１７】
前記換気システムは、前記ポータブルアセンブリを冷却するようにさらに構成されている、請求項９に記載のポータブルアセンブリ。
【請求項１８】
前記換気システムは、空気を上方に流しているときに、前記ポータブルアセンブリ上の埃粒子が集合することを低減するようにさらに構成されている、請求項９に記載のポータブルアセンブリ。
【請求項１９】
前記シールドシステムは、前記電子装置の表示面から放出されたエネルギーによって引き起こされる前記センサシステム上の干渉を低減するようにさらに構成されている、請求項９に記載のポータブルアセンブリ。
【請求項２０】
前記シールドシステムは、前記電子装置の前記プレゼンテーション面から放出されるエネルギーの放射干渉を低減するために、前記赤外線センサの視界を制限するようにさらに構成されている、請求項１３に記載のポータブルアセンブリ。
【誤訳訂正書】
【提出日】平成22年4月16日(2010.4.16)
【誤訳訂正１】
【訂正対象書類名】特許請求の範囲
【訂正対象項目名】全文
【訂正方法】変更
【訂正の内容】
【特許請求の範囲】
【請求項１】
基板（Ｓｕｂ）上で除去すべき層をエッチングする方法において、除去すべき層が基板（Ｓｕｂ）にすでに存在するまたは基板（Ｓｕｂ）に堆積したＳｉ１−ｘＧｅｘ層（４；６）であり、このＳｉ１−ｘＧｅｘ層（４；６）を、気相エッチングの際にエッチングガスを使用して少なくとも部分的に除去し、その際、除去前に、Ｓｉ１−ｘＧｅｘ層（４；６）上にシリコン層（５；７）を成長させ、かつ、前記シリコン層（５；７）を、前記シリコン層（５；７）がその間に存在する溝を有するＳｉ領域を有するようにパターン化し、引き続きこのＳｉ領域を露出するために、Ｓｉ１−ｘＧｅｘ層（４；６）を、犠牲層として、露出すべきＳｉ領域の下方で除去し、その際、気相エッチングを溝を通過して行うことを特徴とする基板上で除去すべき層をエッチングする方法。
【請求項２】
前記エッチングガスとして、ＢｒＦ３、ＸｅＦ２またはＣｌＦ３を使用する請求項１記載の方法。
【請求項３】
前記Ｓｉ１−ｘＧｅｘ層（４；６）のエッチング特性をＧｅ割合により制御する請求項１または２記載の方法。
【請求項４】
前記Ｓｉ１−ｘＧｅｘ層（４；６）がｘ＝０.０５〜ｘ＝０.５の値の範囲からのｘの値を有するＧｅ割合を有する請求項１から３までのいずれか１項記載の方法。
【請求項５】
前記Ｓｉ１−ｘＧｅｘ層（４；６）がｘ＝０.１〜ｘ＝０.５の値の範囲からのｘの値を有するＧｅ割合を有する請求項４記載の方法。
【請求項６】
前記Ｓｉ１−ｘＧｅｘ層（４；６）がｘ＝０.０５〜ｘ＝０.３の値の範囲からのｘの値を有するＧｅ割合を有する請求項１から３までのいずれか１項記載の方法。
【請求項７】
前記Ｓｉ１−ｘＧｅｘ層（４；６）がｘ＝０.１〜ｘ＝０.３の値の範囲からのｘの値を有するＧｅ割合を有する請求項６記載の方法。
【請求項８】
前記Ｓｉ１−ｘＧｅｘ層（４；６）とシリコン層（５；７）の間に拡散バリアまたは保護層（４ａ；６ａ）として、特に厚さ１０〜１００ｎｍを有する酸化物層または窒化物層が存在する請求項１記載の方法。
【請求項９】
前記シリコン層（５；７）としてポリシリコン層をエピタキシャル成長する請求項１記載の方法。
【請求項１０】
前記シリコン層（５；７）のパターン化を、フッ素ベースディープエッチング法を使用して、分離した、それぞれ交互に連続するエッチング工程および重合工程で実施する請求項１記載の方法。
【請求項１１】
前記Ｓｉ１−ｘＧｅｘ層（４）を、第１絶縁層（１）、導体層（２）および第２絶縁層（３）が被覆された基板（Ｓｕｂ）上に堆積する請求項１から１０までのいずれか１項記載の方法。
【請求項１２】
前記第１絶縁層（１）としてＳｉＯ２層を熱によりＳｉからなる基板（Ｓｕｂ）に形成する請求項１１記載の方法。
【請求項１３】
前記導体層（２）としてポリシリコン層を被覆し、パターン化する請求項１１または１２記載の方法。
【請求項１４】
前記第２絶縁層（３）として酸化物層を被覆する請求項１１から１３までのいずれか１項記載の方法。
【請求項１５】
前記シリコン層（７）のパターン化の後でかつ気相エッチングの前に、他のＳｉ１−ｘＧｅｘ層（１０）を充填層として、その間に存在する溝を有するＳｉ領域の上方に堆積し、引き続き、キャップ層（１２ａ）を他のＳｉ１−ｘＧｅｘ層（１０）の上方に堆積し、その後、キャップ層（１２ａ）に穿孔用孔（１４）を設け、かつ最後に、他のＳｉ１−ｘＧｅｘ層（１０）及びＳｉ１−ｘＧｅｘ層（６）を気相エッチングにより除去し、その際、穿孔用孔（１４）を通じてエッチングガスを他のＳｉ１−ｘＧｅｘ層（１０）及びＳｉ１−ｘＧｅｘ層（６）に導く請求項１から１１までのいずれか１項記載の方法。
【誤訳訂正書】
【提出日】平成22年5月12日(2010.5.12)
【誤訳訂正１】
【訂正対象書類名】特許請求の範囲
【訂正対象項目名】全文
【訂正方法】変更
【訂正の内容】
【特許請求の範囲】
【請求項１】
一般式（ＩＩ）
Ｒ1n（Ｘ）3-n−Ｓｉ−Ｒ3−ＰＯ（ＯＲ4）（ＯＲ5）  （ＩＩ）
のホスホネート−シランを、
一般式（ＩＩＩ）
Ｒ1n（Ｘ）3-n−Ｓｉ−Ｒ3−Ｈａｌ  （ＩＩＩ）
のハロゲン含有シランと、
一般式（ＩＶ）
Ｐ（ＯＲ4）（ＯＲ5）（ＯＲ6）  （ＩＶ）
のホスフィットとを反応させることにより製造するにあたり、
上記式中、
Ｒ1は、１〜２０個の炭素原子を有するハロゲン置換又は非置換の炭化水素基又は水素であり、
Ｘは、加水分解可能な基又はＯＨであり、
Ｒ3は、１〜１０個の炭素原子を有するハロゲン置換又は非置換のアルキレン基であり、
Ｒ4、Ｒ5及びＲ6は、それぞれ１〜２０個の炭素原子を有するハロゲン置換又は非置換の炭化水素基であり、
Ｈａｌは、ハロゲン原子であり、かつ
ｎは、０、１、２又は３の値である方法において、
この反応の際に生ずる揮発性副生物Ｒ6−Ｈａｌをこの反応混合物から除去し、かつこの反応の間にこの反応混合物の一部を連続的に又は繰り返して取出し、既に形成された生成物をこれから除去し、そしてこの生成物が除去された反応混合物の一部をこの反応混合物の残部に返送する方法。
【請求項２】
式中、Ｒ1が１〜３個の炭化水素を有するアルキル基又は水素である、請求項１に記載の方法。
【請求項３】
式中、Ｒ3がメチレン、エチレン、ｎ−プロピレンから選択される、請求項１又は２に記載の方法。
【請求項４】
式中、Ｒ4、Ｒ5及びＲ6が、それぞれ１〜６個の炭素原子を有するアルキル基又はフェニルである、請求項１から３までの何れか１項に記載の方法。
【請求項５】
式中、Ｘが１〜３個の炭素原子を有するアルコキシ基、フッ素、塩素又は臭素である、請求項１から４までの何れか１項に記載の方法。
【請求項６】
反応混合物を連続的に取出す、請求項１から５までの何れか１項に記載の方法。
【請求項７】
方法全体を連続的に行う、請求項１から６までの何れか１項に記載の方法。
【誤訳訂正２】
【訂正対象書類名】明細書
【訂正対象項目名】０００５
【訂正方法】変更
【訂正の内容】
【０００５】
本発明の対象は、一般式（ＩＩ）
Ｒ1n（Ｘ）3-n−Ｓｉ−Ｒ3−ＰＯ（ＯＲ4）（ＯＲ5）  （ＩＩ）
のホスホネート−シランを、
一般式（ＩＩＩ）
Ｒ1n（Ｘ）3-n−Ｓｉ−Ｒ3−Ｈａｌ  （ＩＩＩ）
のハロゲン含有シランと、
一般式（ＩＶ）
Ｐ（ＯＲ4）（ＯＲ5）（ＯＲ6）  （ＩＶ）
のホスフィットとを反応させることにより製造するにあたり、
上記式中、
Ｒ1は、１〜２０個の炭素原子を有するハロゲン置換又は非置換の炭化水素基又は水素であり、
Ｘは、加水分解可能な基又はＯＨであり、
Ｒ3は、１〜１０個の炭素原子を有するハロゲン置換又は非置換のアルキレン基であり、
Ｒ4、Ｒ5及びＲ6は、それぞれ１〜２０個の炭素原子を有するハロゲン置換又は非置換の炭化水素基であり、
Ｈａｌは、ハロゲン原子であり、かつ
ｎは、０、１、２又は３の値である方法において、
この反応の間にこの反応混合物の一部を連続的に又は繰り返して取出し、既に形成された生成物をこれから除去し、そしてこの生成物が除去された反応混合物の一部をこの反応混合物の残部に返送する方法である。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
研磨すべき基材と；
前記基材と接触している結合層と；
前記結合層の下に配置された、光吸収剤及び熱分解性樹脂を含む光熱変換層と；
前記光熱変換層の下に配置された光透過性支持体と、を含む層状体の製造方法であって、
光透過性支持体上に、光吸収剤と熱分解性樹脂溶液又は熱分解性樹脂の前駆体材料としてのモノマーもしくはオリゴマーとを含有する光熱変換層前駆体をコーティングすることと；
前記光熱変換層前駆体を乾燥固化するか又は硬化して、光熱変換層を前記光透過性支持体上に形成することと；
硬化性シリコーン接着剤又は硬化性メタクリル化ポリブタジエン接着剤を含む結合層を、前記研磨すべき基材又は前記光熱変換層に適用することと；
前記研磨すべき基材と前記光熱変換層とを、前記硬化性シリコーン接着剤を介して減圧下で結合し、硬化して層状体を形成すること、
を含む層状体の製造方法。
【請求項２】
層状体を提供することと、前記層状体は、ａ）研磨すべき基材と、ｂ）前記基材と接触している硬化したシリコーン接着剤を含む結合層又は硬化性メタクリル化ポリブタジエン接着剤を含む結合層と、ｃ）前記結合層に隣接して配置された、光吸収剤及び熱分解性樹脂を含む光熱変換層と、ｄ）前記光熱変換層に隣接して配置された光透過性支持体とを含み；
前記基材の面を所望の厚さまで研磨すること；
前記光透過性支持体側から放射エネルギーを照射して前記光熱変換層を分解し、それによって前記結合層を有する薄型基材と光透過性支持体に分離し；そして
場合により、前記の硬化した結合層を前記研磨処理した基材から取り除くこと、
を含む薄型基材の供給方法。
【請求項３】
前記硬化性シリコーン接着剤が、付加硬化性シリコーン類、縮合硬化性シリコーン類、遊離基硬化性シリコーン類、及びカチオン硬化性シリコーン類から選択される、請求項１又は２に記載の方法。
【請求項４】
前記研磨処理した基材を複数の研磨処理した基材へダイシング加工する工程を更に含む、請求項２に記載の方法。
【請求項５】
前記結合層が、１０重量％〜７０重量％の量の反応性希釈剤及び０．５重量％〜５重量％の量の光反応開始剤の少くとも一方を更に含む、請求項１又は２に記載の方法。
【請求項６】
前記結合層のメタクリル化ポリブタジエンが、２〜２０のメタクリレート基を包含する、請求項１又は２に記載の方法。
【請求項７】
研磨すべき基材と；
前記基材と接触している、硬化性シリコーン接着剤又は硬化性メタクリル化ポリブタジエン接着剤を包含する硬化性結合層と；
前記結合層と隣接して配置された、光吸収剤及び熱分解性樹脂を含む光熱変換層と；
前記光熱変換層と隣接して配置された光透過性支持体と、
を含む層状体。
【手続補正書】
【提出日】平成22年7月16日(2010.7.16)
【手続補正１】
【補正対象書類名】特許請求の範囲
【補正対象項目名】請求項１９
【補正方法】変更
【補正の内容】
【請求項１９】
少なくとも１つの前記ガイド面（１９，２０）を形成する前記部材（１７．２）又は少なくとも１つの前記ガイド面（１９，２０）を形成する複数の構成部材を、それぞれ少なくとも１つの前記シヤーピン（２１）で支持したことを特徴とする請求項１〜１８のいずれか１項に記載の容器処理装置。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
スロットを有する上方部材と、該上方部材に取り付けられて、ハウジングを形成する下方部材であって、外表面を有する下方部材と、
前記ハウジング内に配置され、扇状に折りたたまれた形状に組み立てられたシートの積層体と、
前記下方部材の前記外表面に取り付けられている第１表面を有する高分子の保持フィルムであって、ＡＳＴＭ  Ｄ７９０規格に従って測定した時、約５０ＭＰａ未満の曲げ弾性率を有し、ＡＳＭＥ  Ｂ４６．１規格に従って算出した時、約１マイクロメートル未満の粗度パラメータＲａを有する保持フィルムと、
を含むディスペンサー。
【請求項２】
前記保持フィルムの前記第１表面と、前記下方部材の前記外表面との間に配置されているアクティベーションカードをさらに含む、請求項１に記載のディスペンサー。
【請求項３】
前記保持フィルムがポリウレタン、又はエチレン−プロピレンジエンモノマー由来のポリマーである、請求項１に記載のディスペンサー。
【請求項４】
第１主要面を有し、ＡＳＴＭ  Ｄ７９０規格に従って測定した時、約５０ＭＰａ未満の曲げ弾性率を有し、ＡＳＭＥ  Ｂ４６．１規格に従って算出した時、約１マイクロメートル未満の粗度パラメータＲａを有する高分子の保持フィルムと、
前記保持フィルムの前記第１主要面上に配置されている取付機構と、
を含む、取付システム。
【請求項５】
前記保持フィルムがポリウレタン、又はエチレン−プロピレンジエンモノマー由来のポリマーである、請求項４に記載の取付システム。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
隠れ画像の識別システムであって、製品と識別手段を備え、前記識別手段は、指定アレイ微細構造を含むシートであり、前記製品は、前記識別手段のアレイ微細構造に応じた同じアレイピッチのアレイ画素を含み、前記アレイ画素と前記識別手段上のアレイ微細構造の選定領域は、全部または局所の制御的な位相オフセットを有し、前記製品のアレイ画素と前記識別手段とのアレイ微細構造が積み重ねられ或いは距離を置いてアライメントされた際、前記微細構造または前記画素で位相オフセットにより隠れた画像が現れるようにすることを特徴とする隠れ画像の識別システム。
【請求項２】
前記位相オフセットは、二次元または三次元の立体空間位置、大きさ、深さまたは色相の変化を含み、ここで、画像が前記製品上に隠れるように、前記アレイ画素に対して位相オフセットを行い、或いは、画像が前記識別手段上に隠れるように、前記アレイ微細構造に対して位相オフセットを行い、或いは、画像が同時に前記製品及び前記識別手段上に隠れるように、前記アレイ画素及び前記アレイ微細構造に対して同時に位相オフセットを行うことを特徴とする請求項１に記載の隠れ画像の識別システム。
【請求項３】
前記識別手段のシート内の微細構造に対して層化、角度化または段化のアレイ組み合わせを行い、製品の隠れ画像に対して積み重ねの組合処理を行って、同一位置上に、複数の隠れ画像、動画像の見え隠れを実現し、或いは立体画像効果を生じることを特徴とする請求項１に記載の隠れ画像の識別システム。
【請求項４】
前記識別手段のシートの表面精度及び鏡面粗さはナノオーダーであり、前記製品のアレイ画素の精度もナノオーダーであることを特徴とする請求項１に記載の隠れ画像の識別システム。
【請求項５】
隠れ画像の製品であって、画像を現すための識別手段のシート上のアレイ微細構造に応じた同じアレイピッチのアレイ画素を含み、前記アレイ画素の選定領域で、前記識別手段上のアレイ微細構造と全部または局所で制御的な位相オフセットを行って、前記製品のアレイ画素と前記識別手段とのアレイ微細構造が積み重ねられ或いは距離を置いてアライメントされた際、前記画素で位相オフセットにより隠れた画像が現れるようにすることを特徴とする隠れ画像の製品。
【請求項６】
隠れ画像の識別手段であって、前記識別手段は指定アレイ微細構造を含むシートであり、前記アレイ微細構造は、被識別製品のアレイ画素に相応し、同じアレイピッチを有し、前記識別手段上のアレイ微細構造及び前記被識別製品のアレイ画素の選定領域で、全部または局所で制御的な位相オフセットを行って、前記被識別製品のアレイ画素と前記識別手段とのアレイ微細構造の積み重ねられ或いは距離を置いてアライメントされた際、前記微細構造または前記画素で位相オフセットにより隠れた画像が現れるようにすることを特徴とする隠れ画像の識別手段。
【請求項７】
前記識別手段のシートは単一または複合構造を有し、シートの表面の微細構造は、凸レンズであり、上記シートの微細構造の凸レンズの半径は、
ｒ＝ｆ÷（２×Ｍｆ×Ｓｆ×Ｉｆ）
（但し、ｆはシートの凸面と製品表面の設定距離であり、Ｍｆはシートの媒体の光学屈折率であり、Ｓｆは製品表面のテクスチャーまたは印刷メッシュ構造とシートのアレイグリッドピッチの密度の大きさ比率値であり、Ｉｆはシート資材の製造過程における離型後の収縮率である）
から求められた値であることを特徴とする請求項６に記載の隠れ画像の識別手段。
【請求項８】
隠れ画像の製品の製造方法であって、
製品に使用される、画像を現すための識別手段のシート上のアレイ微細構造に応じた同じアレイピッチを有するアレイ画素を設定するステップと、
隠れ画像の内容及び前記アレイ画素における位置を設定するステップと、
設定された隠れ画像領域の画素のドットマトリクスに対して位相オフセット処理を行うステップと、
上記設定されたアレイ画素を製品上に加工するステップとを含むことを特徴とする隠れ画像の製品の製造方法。
【請求項９】
隠れ画像の識別手段の製造方法であって、
識別手段のシートに使用される、被識別製品上のアレイ画素に応じた同じアレイピッチを有するアレイ微細構造を設定するステップと、
必要に応じて、予めに設定された隠れ画像領域に応じた識別手段上のアレイ微細構造に対して、位相オフセット処理を行うステップと、
上記の設定に基いて、識別手段のシート上のアレイ微細構造の加工製造を行うステップとを含むことを特徴とする隠れ画像の識別手段の製造方法。
【誤訳訂正書】
【提出日】平成21年10月8日(2009.10.8)
【誤訳訂正１】
【訂正対象書類名】明細書
【訂正対象項目名】００３４
【訂正方法】変更
【訂正の内容】
【００３４】
さらに合成樹脂中空体（Ａ）内に収容される液状物２２としては、例えば水、水溶液、化粧水、薬品、または有機溶剤などの油性成分と水性成分との混合液、あるいは有機溶剤を用いることができる。また、本発明において液状物とはペースト状のものも含む。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
スプレー容器受入手段及びスプレー容器作動手段を備えたスプレー装置であって、
前記スプレー容器作動手段は、カバープレートを有すると共に、使用中、レバーアームによってスプレー容器から定期的にスプレー材を噴出させるようにされ、
前記レバーアームには、カバープレートの前面で湾曲開口部を定めるスロットを通して、前記アームの前面から離れるように垂直に突出する、前記アームの突起によって規定される位置表示手段が組み込まれ、
前記スロットは、互いに角度をなしたスプレー容器受入部及び突起移動部を有し、使用中、前記レバーアームは、前記湾曲開口部内を移動し、前記位置表示手段は、ユーザが前記レバーアームの位置を調整できるようにされた位置調整手段で構成される、
ことを特徴とするスプレー装置。
【請求項２】
前記突起は前記レバーアームの下縁から突出する、ことを特徴とする請求項１に記載のスプレー装置。
【請求項３】
前記突起は前記レバーアームの突出ランドから突出する、ことを特徴とする請求項１または請求項２に記載のスプレー装置。
【請求項４】
前記突起はその端部に向けてテーパー付けられている、ことを特徴とする請求項１から請求項３のいずれか１項に記載のスプレー装置。
【請求項５】
前記レバーアームは、下降位置と上昇位置との間で移動すべく動作可能である、ことを特徴とする請求項１から請求項４のいずれか１項に記載のスプレー装置。
【請求項６】
前記レバーアームは、前記レバーアームを前記下降位置と前記上昇位置との間で旋回運動させるように、前記スプレー容器作動手段の歯車に係合する歯部を有する、ことを特徴とする請求項５に記載のスプレー装置。
【請求項７】
前記突起は、前記下降位置にある場合、前記スプレー容器の上面に対してほぼ平行であるか、或いは同一平面上にある、
ことを特徴とする請求項５または請求項６に記載のスプレー装置。
【請求項８】
前記スプレー容器受入部及び前記突起移動部の間の角度は、くの字である、ことを特徴とする請求項１に記載のスプレー装置。
【請求項９】
前記突起移動部は、前記突起を前記下降位置と前記上昇位置との間で妨害されずに動かせるようにされる、
ことを特徴とする請求項８に記載のスプレー装置。
【請求項１０】
スプレー容器を含む、
ことを特徴とする請求項１から請求項９のいずれかに記載のスプレー装置。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
治療用のポリペプチドを制御放出するための液状ポリマー系薬理組成物であって、(a) 製薬上許容される、水-不溶性の生分解性ポリマー；(b) 該生分解性ポリマーを可溶化する、製薬上許容される有機溶媒；及び(c) 1又はそれ以上の親油性又は両親媒性部分と結合した治療用ポリペプチドを含み、該組成物が、注射可能な粘稠性液体形状にあり、また治療対象の身体内に該有機溶媒を散逸又は分散することにより、制御放出性インプラントを形成することができ、かつ該組成物が、該親油性又は両親媒性部分と結合していない該治療用ポリペプチドが呈するよりも高いインビトロ安定性及びそれよりも低い初期突発的放出性を示すことを特徴とする、前記液状ポリマー系薬理組成物。
【請求項２】
前記ポリペプチド及び前記1又はそれ以上の親油性部分が、共有結合的に結合している、請求項1記載の組成物。
【請求項３】
前記ポリペプチド及び前記1又はそれ以上の親油性部分が、スペーサ、ブリッジ又はリンカー基を介して共有結合的に結合している、請求項2記載の組成物。
【請求項４】
前記ポリペプチドが、オキシトシン、バソプレッシン、副腎皮質刺激ホルモン(ACTH)、上皮増殖因子(EGF)、血小板由来増殖因子(PDGF)、プロラクチン、黄体形成ホルモン、黄体形成ホルモン放出ホルモン(LHRH)、LHRHアゴニスト、LHRHアンタゴニスト、成長ホルモン、成長ホルモン放出因子、インシュリン、エリスロポエチン、ソマトスタチン、グルカゴン、インターロイキン、インターフェロン-α、インターフェロン-β、インターフェロン-γ、ガストリン、テトラガストリン、ペンタガストリン、ウロガストロン、セクレチン、カルシトニン、エンケファリン、エンドルフィン、アンギオテンシン、甲状腺刺激ホルモン放出ホルモン(TRH)、腫瘍壊死因子(TNF)、副甲状腺ホルモン(PTH)、神経成長因子(NGF)、顆粒球-コロニー刺激因子(G-CSF)、顆粒球マクロファージ-コロニー刺激因子(GM-CSF)、マクロファージ-コロニー刺激因子(M-CSF)、ヘパリナーゼ、血管内皮細胞増殖因子(VEG-F)、骨形成タンパク質(BMP)、hANP、グルカゴン-様ペプチド(GLP-1)、エキセナチド(exenatide)、ペプチドYY(PYY)、グレリン(Ghrelin)、レニン、ブラジキニン、バシトラシン、ポリミキシン、コリスチン、チロシジン、グラミシジン、シクロスポリン、酵素、サイトカイン、抗体、ワクチン、抗生物質、糖タンパク質、卵胞刺激ホルモン、キョウトルフィン(kyotorphin)、タフトシン(taftsin)、チモポエチン、チモシン、チモスチムリン、胸腺体液性因子、血清胸腺因子、コロニー刺激因子、モチリン、ボンベシン、ジノルフィン(dinorphin)、ニューロテンシン、セルレイン(cerulein)、ウロキナーゼ、カリクレイン、P物質類似体、P物質アンタゴニスト、アンギオテンシンII、血液凝固因子VII及びIX、リゾチーム、グラミシジン、メラノサイト刺激ホルモン、甲状腺ホルモン放出ホルモン、甲状腺刺激ホルモン、パンクレオチミン、コレシストキニン、ヒト胎盤ラクトゲン、ヒト絨毛性ゴナドトロピン、タンパク質合成刺激ペプチド、胃抑制性ペプチド、血管作用性腸ペプチド、及び血小板由来増殖因子からなる群から選択される、請求項1記載の組成物。
【請求項５】
前記ポリペプチドがACTH、グルカゴン、ソマトトロピン、チモシン、色素性ホルモン、ソマトメジン、絨毛性ゴナドトロピン、視床下部ホルモン放出因子、抗-利尿ホルモン、甲状腺刺激ホルモン、ビファリン(biphalin)及びプロラクチンからなる群から選択される、請求項1記載の組成物。
【請求項６】
前記ポリペプチドが、ドキソルビシン、ラパマイシン、ナルトレキソン、上皮増殖因子(EGF)、LHRHアゴニストスト、LHRHアンタゴニスト、成長ホルモン、成長ホルモン放出因子、オクトレオチド、インターフェロン-α、インターフェロン-β、インターフェロン-γ、カルシトニン、副甲状腺ホルモン(PTH)、グルカゴン-様ペプチド(GLP-1)、及びペプチドYY(PYY) からなる群から選択される、請求項1記載の組成物。
【請求項７】
前記ポリペプチドが、オクトレオチドである、請求項1記載の組成物。
【請求項８】
前記親油性部分が、C3-39-アルキル、C3-39-アルケニル、C3-39-アルカジエニル、トコフェロール、及びステロイド系化合物からなる群から選択される、請求項1記載の組成物。
【請求項９】
前記C3-39-アルキル、C3-39-アルケニル及びC3-39-アルカジエニルの各々が、(i) 直鎖又は分岐、及び(ii) 飽和、モノ不飽和又はジ-不飽和のものである、請求項８記載の組成物。
【請求項１０】
前記親油性部分が、脂質である、請求項1記載の組成物。
【請求項１１】
前記生分解性ポリマーが、ポリラクチド、ポリグリコライド、ポリカプロラクトン、ポリジオキサノン、ポリカーボネート、ポリヒドロキシブチレート、ポリアルキレンオキサレート、ポリ無水物、ポリアミド、ポリエステルアミド、ポリウレタン、ポリアセタール、ポリオルトカーボネート、ポリホスファゼン、ポリヒドロキシバレレート、ポリアルキレンサクシネート、及びポリオルトエステル、及びこれらのコポリマー、ブロックコポリマー、分岐コポリマー、ターポリマー、及びこれらの組合せ及び混合物からなる群から選択される、請求項1記載の組成物。
【請求項１２】
前記有機溶媒が、N-メチル-2-ピロリドン、N,N-ジメチルホルムアミド、ジメチルスルホキシド、プロピレンカーボネート、カプロラクタム、トリアセチン、ベンジルベンゾエート、ベンジルアルコール、エチルラクテート、グリセリルトリアセテート、クエン酸のエステル、ポリエチレングリコール、アルコキシポリエチレングリコール、ポリエチレングリコールアセテート、又はこれらの任意の組合せからなる群から選択される、請求項1記載の組成物。
【請求項１３】
請求項1記載の液状ポリマー系薬理組成物の製造方法であって、(a) 製薬上許容される、水-不溶性の生分解性ポリマーを、製薬上許容される有機溶媒に溶解して、ポリマー溶液を製造する工程；及び(b) 該ポリマー溶液と、1又はそれ以上の親油性又は両親媒性部分と結合した治療用ポリペプチドの有効量とを混合して、薬理組成物を生成する工程を含むことを特徴とする前記方法。
【請求項１４】
前記両親媒性部分の親油性部分が、C3-39-アルキル、C3-39-アルケニル、C3-39-アルカジエニル、トコフェロール、及びステロイド系化合物からなる群から選択される、請求項1記載の組成物。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2009543779.tif 000001
の構造で表される化合物またはそのＳ−異性体、Ｒ−異性体、ラセミ混合物、薬学的に許容しうる塩、医薬製品、多形、結晶、Ｎ−オキシド、水和物またはいずれかそれらの組合せ。
【請求項２】
請求項１に記載の化合物と、薬学的に許容しうる担体、希釈剤もしくは薬学的に許容しうる塩、またはそれらの組合せを含む組成物。
【請求項３】
雄性対象の避妊のための医薬組成物であって、請求項１に記載の化合物またはその異性体、薬学的に許容しうる塩、医薬製品、結晶、水和物、Ｎ−オキシドまたはいずれかそれらの組合せ含無、前記医薬組成物。
【請求項４】
ホルモン療法のための医薬組成物であって、請求項１に記載の化合物またはその異性体、薬学的に許容しうる塩、医薬製品、結晶、水和物、Ｎ−オキシドまたはいずれかそれらの組合せを、アンドロゲン依存状態を変化させる有効量で含む、前記医薬組成物。
【請求項５】
対象の骨関連障害を処置する、対象の骨質量を増加させる、または対象の骨形成を促進するための医薬組成物であって、請求項１に記載の化合物またはその異性体、薬学的に許容しうる塩、医薬製品、結晶、水和物、Ｎ−オキシドまたはいずれかそれらの組合せを、該骨関連障害を処置する有効量で含む、前記医薬組成物。
【請求項６】
対象が、骨粗鬆症、オステオペニア、骨吸収増加、骨折、骨虚弱、骨密度（ＢＭＤ）減少、またはいずれかそれらの組合せを患う、請求項５に記載の医薬組成物。
【請求項７】
医薬組成物が、対象の骨の強度を増加させる；骨芽細胞形成を刺激または増強する；破骨細胞増殖を阻害する、請求項５に記載の医薬組成物。
【請求項８】
対象の筋消耗障害を処置する、その発生率を減少させる、その進行を遅延させる、その重症度を減少させる、またはそれに関連した症状を軽減するための医薬組成物であって、請求項１に記載の化合物またはその異性体、薬学的に許容しうる塩、医薬製品、結晶、水和物、Ｎ−オキシドまたはいずれかそれらの組合せを、該対象の該筋消耗障害を処置する有効量で含む、前記医薬組成物。
【請求項９】
前記筋消耗障害が、病理、病気、疾患または状態による、請求項８に記載の医薬組成物。
【請求項１０】
前記病理、病気、疾患または状態が、神経学的、感染性、慢性または遺伝的である、請求項９に記載の医薬組成物。
【請求項１１】
前記病理、病気、疾患または状態が、筋ジストロフィー、筋萎縮、Ｘ連鎖脊髄・延髄筋萎縮（ＳＢＭＡ）、悪液質、栄養失調、らい、糖尿病、慢性閉塞性肺疾患（ＣＯＰＤ）、癌、骨量減少、気腫、骨軟化症、ＨＩＶ感染、ＡＩＤＳまたは心筋症である、請求項９に記載の医薬組成物。
【請求項１２】
前記筋消耗障害が、加齢性筋消耗障害；廃用性脱条件付け関連筋消耗障害である；または該筋消耗障害が、慢性腰痛；熱傷；中枢神経系（ＣＮＳ）傷害または損傷；末梢神経傷害または損傷；脊髄傷害または損傷；化学的傷害または損傷；またはアルコール症による、請求項８に記載の医薬組成物。
【請求項１３】
対象の眼の疾患または状態を処置するための医薬組成物であって、請求項１に記載の化合物またはその異性体、薬学的に許容しうる塩、医薬製品、結晶、Ｎ−オキシド、水和物またはいずれかそれらの組合せを含む、前記医薬組成物。
【請求項１４】
眼の疾患または状態が、シェーグレン症候群または眼球乾燥症を含む、請求項１３に記載の医薬組成物。
【請求項１５】
対象の脂肪質量を減少させるための医薬組成物であって、請求項１に記載の化合物またはその異性体、薬学的に許容しうる塩、医薬製品、結晶、Ｎ−オキシド、水和物またはいずれかそれらの組合せを含む、前記医薬組成物。
【請求項１６】
対象の除脂肪質量を増加させるための医薬組成物であって、請求項１に記載の化合物またはその異性体、薬学的に許容しうる塩、医薬製品、結晶、Ｎ−オキシド、水和物またはいずれかそれらの組合せを含む、前記医薬組成物。
【請求項１７】
前記化合物が、式（Ｉ）のＳ異性体である、請求項３、４、５、８、１３、１５、または１６に記載の医薬組成物。
【請求項１８】
前記化合物が、式（Ｉ）のＲ異性体である、請求項３、４、５、８、１３、１５、または１６に記載の医薬組成物。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
ダイアセンブリであって、
ダイキャビティを画定する１つ以上の内壁部と、前記ダイキャビティと流体連通してダイハウジングを通過する入口通路と、該入口通路から末端側の位置で前記ダイキャビティと流体連通して前記ダイハウジングを通過する出口通路と、を有するダイハウジングであって、前記入口通路は、流動性材料の外部供給源に選択的に接続するようになされているダイハウジングと、
前記ダイキャビティ内で取外し可能に受容されるインサートであって、複数の外壁部を有する本体部を備え、少なくとも１つの流路が、前記ダイハウジングの少なくとも１つの内壁部と、前記インサートの前記本体部の各対向する外壁部との間に形成されるインサートと、
流動性材料の前記外部供給源と、前記少なくとも１つの流路の各々と前記出口通路との間に流体連通をもたらすための手段と、を備えるダイアセンブリ。
【請求項２】
流動性材料のシートを形成するためのダイアセンブリであって、
ダイキャビティを画定する１つ以上の内壁部と、前記ダイキャビティと流体連通してダイハウジングを通過する入口通路と、該入口通路から末端側の位置で前記ダイキャビティと流体連通して前記ダイハウジングを通過する出口通路と、を有するダイハウジングであって、前記入口通路は、流動性材料の外部供給源に選択的に接続するようになされているダイハウジングと、
前記ダイキャビティ内で取外し可能に受容されるインサートであって、複数の外壁部を有する本体部を備え、少なくとも１つの流路が、前記ダイハウジングの少なくとも１つの内壁部と、前記インサートの前記本体部の各対向する外壁部との間に形成されるインサートと、
該インサートの前記本体部の少なくとも一部を通過する第１の導管であって、前記入口通路と前記出口通路との間で流体連通する第１の導管と、
少なくとも前記ダイハウジングを通過する第２の導管であって、各流路及び前記出口通路と流体連通し、流動性材料の前記外部供給源と選択的に接続するようになされている第２の導管と、を備えるダイアセンブリ。
【請求項３】
前記インサートの前記本体部内に形成された、少なくとも１つのインサートキャビティを更に備え、任意に、前記少なくとも１つのインサートキャビティは、前記入口通路、前記出口通路、前記第２の導管、及び前記少なくとも１つの流路のうちの１つ以上と流体連通する、請求項２に記載のダイアセンブリ。
【請求項４】
前記インサートの前記本体部内に形成された、少なくとも１つのチャンバを更に備える、請求項２に記載のダイアセンブリ。
【請求項５】
前記第１の導管と流体連通する制御弁を更に備え、該制御弁は、流動性材料の前記外部供給源を前記第１の導管に選択的に接続するように配置されており、任意に、前記第２の導管と流体連通する第２の制御弁を更に備え、該第２の制御弁は、流動性材料の前記外部供給源を前記第２の導管に選択的に接続するように配置されている、請求項２に記載のダイアセンブリ。
【請求項６】
前記入口通路、前記第１の導管、及び前記第２の導管の各々は、実質的に円筒形の横断面を有し、前記第２の導管は、前記第ハウジングの前記入口通路及び前記インサートの少なくとも一部分を通じて、前記第１の導管と同心に且つ前記第１の導管の周りで同軸に延びる、請求項２に記載のダイアセンブリ。
【請求項７】
前記第２の導管は壁を有し、前記第２の導管の前記壁は、前記第２の導管と前記インサートの前記本体部内に形成された少なくとも１つのインサートキャビティとの間に流体連通をもたらす、少なくとも１つの穿孔を有し、前記インサートキャビティは、前記少なくとも１つの流路と流体連通する、請求項６に記載のダイアセンブリ。
【請求項８】
前記入口通路と前記第２の導管との少なくとも一方と流体連通するベント通路を更に備える、請求項７に記載のダイアセンブリ。
【請求項９】
ダイ内で使用するためのインサートであって、前記ダイは、ダイキャビティを画定する複数の内壁部と、前記ダイキャビティと流体連通してダイハウジングを通過する入口通路と、該入口通路から末端側の位置で前記ダイキャビティと流体連通して前記ダイハウジングを通過する出口通路と、を有するダイハウジングであって、前記入口通路は、流動性材料の外部供給源に選択的に接続するようになされている、ダイハウジングを有し、前記インサートは、
複数の外壁部を有する本体部であって、前記ダイキャビティ内に取外し可能に配置されるようになされており、前記本体部が前記ダイキャビティ内に配置されると、少なくとも１つの流路が、前記インサートの前記本体部の少なくとも１つの外壁部と前記ダイハウジングの各対向する内壁部との間に形成される本体部と、
前記インサートの前記本体部の少なくとも一部を通過する第１の導管であって、前記入口通路と前記出口通路との間で流体連通する第１の導管と、
少なくとも前記ダイハウジングを通過する第２の導管であって、各流路及び前記出口通路と流体連通し、流動性材料の前記外部供給源と選択的に接続するようになされている第２の導管と、を備えるインサート。
【請求項１０】
ダイアセンブリから気体をパージする方法であって、
前記ダイアセンブリは、
ダイキャビティを画定する複数の内壁部と、前記ダイキャビティと流体連通してダイハウジングを通過する入口通路と、該入口通路から末端側の位置で前記ダイキャビティと流体連通して前記ダイハウジングを通過する出口通路と、を有するダイハウジングであって、前記入口通路は、流動性材料の外部供給源に選択的に接続するようになされているダイハウジングと、
前記ダイキャビティ内で取外し可能に受容されるインサートであって、複数の外壁部を有する本体部を備え、少なくとも１つの流路が、前記ダイハウジングの少なくとも１つの内壁部と、前記インサートの前記本体部の各対向する外壁部との間に形成されるインサートと、
該インサートの前記本体部の少なくとも一部分を通過する第１の導管であって、前記入口通路と前記出口通路との間で流体連通する第１の導管と、
前記ダイハウジングを通過する第２の導管であって、各流路及び前記出口通路と流体連通し、流動性材料の前記外部供給源と選択的に接続するようになされている第２の導管と、を有し、
前記方法は、
（ａ）流動性材料の前記外部供給源から前記第２の導管を通じて第１の液体の流れを供給することと、
（ｂ）前記第２の導管及び各流路から気体が実質的になくなるまで、前記第２の導管を通じた前記第１の液体の流れを継続することと、及び
（ｃ）その後に、流動性材料の前記外部供給源から前記第１の導管を通じて第２の液体の流れを供給し、それによって、前記出口通路から流動性材料のシートを供給することと、
任意に、前記第１の導管を通じた前記第２の液体の流れを維持する一方で、前記第２の導管を通じた前記第１の液体の流れを遮断することと、を有する方法。
【手続補正書】
【提出日】平成22年3月29日(2010.3.29)
【手続補正１】
【補正対象書類名】明細書
【補正対象項目名】発明の名称
【補正方法】変更
【補正の内容】
【発明の名称】ｍＰＧＥｓ−１阻害剤としての２−アリールインドール誘導体
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
ある量が哺乳動物細胞に適用される６，９−二置換プリン誘導体を含む哺乳動物細胞の加齢の悪影響の緩和用の医薬組成物であって、前記６，９−二置換プリン誘導体は、下記の一般式のもの、または医薬品として許容されるそれらの塩
【化１】
2009543799.tif 000001
（式中、Ｒ6は、フルフリル、メトキシ置換フルフリル、フェニル、メトキシ置換フェニル、およびメトキシ置換ベンジルであり；Ｒ9は、２−テトラヒドロピラニル、または２−テトラヒドロフラニルである）であり、前記量は、哺乳動物細胞の加齢の悪影響を緩和するのに有効であることを特徴とする医薬組成物。
【請求項２】
Ｒ6は、フルフリル、またはメトキシ置換フルフリルであり、Ｒ9は、２−テトラヒドロピラニルであることを特徴とする請求項１に記載の医薬組成物。
【請求項３】
Ｒ6はフルフリルであり、Ｒ9は２−テトラヒドロピラニルであることを特徴とする請求項１に記載の医薬組成物。
【請求項４】
前記量は、約０．０５から約１０％であることを特徴とする請求項１に記載の医薬組成物。
【請求項５】
前記量は、約０．０５から約１０％であることを特徴とする請求項２に記載の医薬組成物。
【請求項６】
前記量は、約０．０５から約１０％であることを特徴とする請求項３に記載の医薬組成物。
【請求項７】
前記量は、約０．１から約２％であることを特徴とする請求項１に記載の医薬組成物。
【請求項８】
前記量は、約０．１から約２％であることを特徴とする請求項２に記載の医薬組成物。
【請求項９】
前記量は、約０．１から約２％であることを特徴とする請求項３に記載の医薬組成物。
【請求項１０】
有効量が哺乳動物の皮膚細胞に適用される６，９−二置換プリン誘導体を含む哺乳動物の皮膚疾患または皮膚状態の処置用の医薬組成物であって、前記６，９−二置換プリン誘導体は、下記の一般式のもの、または医薬品として許容されるそれらの塩
【化２】
2009543799.tif 000002
（式中、Ｒ6は、フルフリル、メトキシ置換フルフリル、フェニル、メトキシ置換フェニル、またはメトキシ置換ベンジルであり；Ｒ9は、２−テトラヒドロピラニル、または２−テトラヒドロフラニルである）であることを特徴とする医薬組成物。
【請求項１１】
有効量が哺乳動物の細胞に適用される６，９−二置換プリン誘導体を含む哺乳動物の炎症状態の処置用の医薬組成物であって、前記６，９−二置換プリン誘導体は、下記の一般式のもの、または医薬品として許容されるそれらの塩
【化３】
2009543799.tif 000003
（式中、Ｒ6は、フルフリル、メトキシ置換フルフリル、フェニル、メトキシ置換フェニル、またはメトキシ置換ベンジルであり；Ｒ9は、２−テトラヒドロピラニル、または２−テトラヒドロフラニルである）であることを特徴とする医薬組成物。
【請求項１２】
ある量が哺乳動物細胞に適用される６，９−二置換プリン誘導体を含む哺乳動物細胞の加齢の悪影響の緩和用の医薬組成物であって、前記６，９−二置換プリン誘導体は、下記の一般式のもの、または医薬品として許容されるそれらの塩
【化４】
2009543799.tif 000004
であり、前記量は、哺乳動物細胞の加齢の悪影響を緩和するのに有効であることを特徴とする医薬組成物。
【請求項１３】
前記量は、約０．０５から約１０％であることを特徴とする請求項１２に記載の医薬組成物。
【請求項１４】
前記量は、約０．１から約２％であることを特徴とする請求項１２に記載の医薬組成物。
【請求項１５】
前記哺乳動物細胞は、ヒト皮膚細胞であることを特徴とする請求項１２に記載の医薬組成物。
【請求項１６】
前記哺乳動物細胞は、ヒト皮膚細胞であることを特徴とする請求項１３に記載の医薬組成物。
【請求項１７】
前記哺乳動物細胞は、ヒト皮膚細胞であることを特徴とする請求項１４に記載の医薬組成物。
【請求項１８】
ある量がヒトの皮膚に適用される６，９−二置換プリン誘導体を含むヒトの皮膚に対する加齢の悪影響の緩和用の医薬組成物であって、前記６，９−二置換プリン誘導体は、下記の一般式のもの、または医薬品として許容されるそれらの塩
【化５】
2009543799.tif 000005
であり、前記量は、ヒトの皮膚の加齢の悪影響を緩和するのに有効であることを特徴とする医薬組成物。
【請求項１９】
前記量は、約０．０５から約１０％であることを特徴とする請求項１８に記載の医薬組成物。
【請求項２０】
前記量は、約０．１から約２％であることを特徴とする請求項１８に記載の医薬組成物。
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
下記の式を有する化合物、その製薬上許容し得る塩またはそのプロドラッグ：
【化１】
2009543794.tif 000001
(式中、点線は、結合の存在または不存在を示し；
Yは、有機酸官能基またはその14個までの炭素原子を含むアミドもしくはエステルであるか；或いは、Yは、ヒドロキシメチルまたはその14個までの炭素原子を含むエーテルであるか；或いは、Yは、テトラゾリル官能基であり；
Aは、-(CH2)6-、シス-CH2CH=CH-(CH2)3-、または-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1およびJ2は、個々に、水素；F；Cl；Br；I；O；OH；CN；1、2、3、4、5または6個の炭素原子を有するO-アルキル；1、2、3、4、5または6個の炭素原子を有するアルキル；またはCF3であり；
Zは、S、SO、SO2、NR、NCORまたはNSO2Rであり、式中、Rは、HまたはC1-6ヒドロカルビルであり；そして、
Bは、アリールまたはヘテロアリールである)。
【請求項２】
下記の構造を有するカルボン酸またはそのバイオイソスターである化合物、またはその製薬上許容し得る塩、またはそのプロドラッグ：
【化２】
2009543794.tif 000002
(式中、点線は、結合の存在または不存在を示し；
Aは、-(CH2)6-、シス-CH2CH=CH-(CH2)3-または-CH2C≡C-(CH2)3-であり、これらにおいて、１個または２個の炭素原子はSまたはOによって置換することができ；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換することができ；
U1は、個々に、水素；OH；O；S；F；Cl；Br；I；CN；または1、2、3、4、5または6個の炭素原子を有するO-アルキルであり；
J1およびJ2は、個々に、水素；F；Cl；Br；I；O；OH；CN；1、2、3、4、5または6個の炭素原子を有するO-アルキル；1、2、3、4、5または6個の炭素原子を有するアルキル；またはCF3であり；
Zは、S、SO、SO2、NR、NCORまたはNSO2Rであり、式中、Rは、HまたはC1-6ヒドロカルビルであり；そして、
Bは、アリールまたはヘテロアリールである)。
【請求項３】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化３】
2009543794.tif 000003
(式中、R2は、個々に、H、C1〜C6アルキル、非置換フェニルまたは非置換ビフェニルである)
から選ばれる、請求項１記載の化合物。
【請求項４】
Bが、置換または非置換フェニル或いは置換または非置換ピリジニルである、請求項３記載の化合物。
【請求項５】
Bが、置換または非置換フェニルである、請求項４記載の化合物。
【請求項６】
下記の式を有する請求項４記載の化合物、その製薬上許容し得る塩、またはそのプロドラッグ：
【化４】
2009543794.tif 000004
【請求項７】
Bが、F、Cl、Br、C1-3アルキルおよびC1-3アルコキシから個々に選ばれる0〜4個の置換基を有するフェニルである、請求項６記載の化合物。
【請求項８】
Aが、5-(3-プロピル)チオフェン-2-イルである、請求項４記載の化合物。
【請求項９】
Aが、(Z)-6-ヘキサ-4-エニルである、請求項４記載の化合物。
【請求項１０】
U1が、OHである、請求項４記載の化合物。
【請求項１１】
J1が、水素である、請求項４記載の化合物。
【請求項１２】
J2が、Clである、請求項４記載の化合物。
【請求項１３】
Zが、Sである、請求項７記載の化合物。
【請求項１４】
Zが、SOである、請求項７記載の化合物。
【請求項１５】
Zが、NHである、請求項７記載の化合物。
【請求項１６】
Zが、NCOCH3である、請求項７記載の化合物。
【請求項１７】
J1が、水素であり；U1およびJ2が、個々に、F、ClおよびOHから選ばれ；Zが、S、SO、NHまたはNCORである、請求項６記載の化合物。
【請求項１８】
下記から選択される構造を有する、請求項１記載の化合物。
【化５】
2009543794.tif 000005
【請求項１９】
請求項１〜１８のいずれか１項記載の化合物を含む、眼内圧を降下させるための医薬品。
【請求項２０】
請求項１〜１８のいずれか１項記載の化合物を含む、緑内障を治療するための医薬品。
【請求項２１】
請求項１〜１８のいずれか１項記載の化合物の、哺乳類における眼内圧低下用または緑内障治療用の医薬品の製造における使用。